【手続補正書】
【提出日】平成15年7月4日(2003.7.4)
【手続補正１】
【補正対象書類名】明細書
【補正対象項目名】特許請求の範囲
【補正方法】変更
【補正の内容】
【特許請求の範囲】
【請求項１】
装置内部の横置ドラム型の分解・撹拌槽の前方上部に開口された有機性廃棄物の投入口を有し、その分解・撹拌槽内には横貫して設置された回転シャフトと、その回転シャフトに垂設された複数の撹拌棒からなる撹拌機構を有し、また分解・撹拌槽の壁面には排出口を有し、さらに分解・撹拌槽内には微生物が着生した粒状撹拌媒体が充填され、かつ装置側面又は後部には開口された排気口、その排気口より脱臭装置を介して排気ブロアーにつながる雰囲気調節機構を備えた有機性廃棄物を微生物分解処理又は微生物分解処理及び乾燥処理する有機性廃棄物の分解処理装置において、前記横置ドラム型の分解・撹拌槽内の前記粒状撹拌媒体及び分解物を取り出す排出口が前記投入口に対置した後方の位置に設置してなることを特徴とする有機性廃棄物の分解処理装置。
【請求項２】
分離・撹拌槽の側部に斜設された少なくとも底部の一部に多数のスリット又は篩い目を有する分離用スロープ、及び同分離用スロープに振動を与える振動機構よりなる分解物・粒状撹拌媒体分離装置を備えたことを特徴とする請求項１に記載の有機性廃棄物の分解処理装置。
【請求項３】
排出口に設置されたスライド板又は扉の開口度を調節できる扉開閉機構を備えたことを特徴とする請求項１又は２に記載の有機性廃棄物の分解処理装置。
【請求項４】
分解物・粒状撹拌媒体分離装置の上方又は下方あるいは上方及び下方に、遠赤外ヒーターを設置したことを特徴とする請求項２又は３のいずれか１項に記載の有機性廃棄物の分解処理装置。
【請求項５】
分解・撹拌槽壁を被包する２重構造のジャケットと、そのジャケット内に設けた複数の水加熱用ヒーターとジャケット中の水温を測定する単数個所又は複数個所に設けられた温度センサーと、温度制御装置とよりなる分解・撹拌槽の温度調節機構を備えてなることを特徴とする請求項１ないし４のいずれか１項に記載の有機性廃棄物の分解処理装置。
【請求項６】
横置きドラム型分解・撹拌槽の内部に充填される粒状撹拌媒体が、粒径の異なるものの組合せであることを特徴とする請求項１〜５のいずれか１項に記載の有機性廃棄物の分解処理装置。
【請求項７】
横置きドラム型分解・撹拌槽内の投入口付近では平均粒度が比較的大径の粒状撹拌媒体が存在し、被処理物排出口付近では比較的平均粒度が小径の粒状撹拌媒体が存在してなることを特徴とする請求項１ないし６のいずれか１項に記載の有機性廃棄物の分解処理装置。
【請求項８】
分解・撹拌槽の内部に回転可能に略水平に配設された回転シャフトと、この回転シャフトに軸方向の複数箇所に仮想螺旋状に突設された撹拌棒と、各撹拌棒に付設された撹拌子とからなる撹拌機構を備えたことを特徴とする請求項１ないし７のいずれか１項に記載の有機性廃棄物の分解処理装置。
【請求項９】
槽壁又は槽底に設けた吸気又は吹き込み口から循環雰囲気ガス又は空気を分解・撹拌槽に導入する分解・撹拌槽の雰囲気調整機構を設けたことを特徴とする請求項１ないし８のいずれか１項に記載の有機性廃棄物の分解処理装置。
【請求項１０】
槽壁又は槽底に設けた吸気又は吹き込み口から循環雰囲気ガス又は空気を分解・撹拌槽に導入する分解・撹拌槽の雰囲気調整機構を設け、さらに前記循環雰囲気ガス系又は空気系に水分凝縮装置又は浄化装置を設けたことを特徴とする請求項１ないし９のいずれか１項に記載の有機性廃棄物の分解処理装置。
【請求項１１】
横置きドラム型分解・撹拌槽の内部に充填される粒状撹拌媒体が、多孔質のセラミック球であることを特徴とする請求項１ないし９のいずれか１項に記載の有機性廃棄物の分解処理装置。
【手続補正２】
【補正対象書類名】明細書
【補正対象項目名】０００５
【補正方法】変更
【補正の内容】
【０００５】
【課題を解決するための手段】本発明は上記従来技術の課題を解決するものであり、下記構成の有機性廃棄物等の分解処理装置である。
（１）装置内部の横置ドラム型の分解・撹拌槽の前方上部に開口された有機性廃棄物の投入口を有し、その分解・撹拌槽内には横貫して設置された回転シャフトと、その回転シャフトに垂設された複数の撹拌棒からなる撹拌機構を有し、また分解・撹拌槽の壁面には排出口を有し、さらに分解・撹拌槽内には微生物が着生した粒状撹拌媒体が充填され、かつ装置側面又は後部には開口された排気口、その排気口より脱臭装置を介して排気ブロアーにつながる雰囲気調節機構を備えた有機性廃棄物を微生物分解処理又は微生物分解処理及び乾燥処理する有機性廃棄物の分解処理装置において、前記横置ドラム型の分解・撹拌槽内の前記粒状撹拌媒体及び分解物を取り出す排出口が前記投入口に対置した後方の位置に設置してなることを特徴とする有機性廃棄物の分解処理装置。
（２）分離・撹拌槽の側部に斜設された少なくとも底部の一部に多数のスリット又は篩い目を有する分離用スロープ、及び同分離用スロープに振動を与える振動機構よりなる分解物・粒状撹拌媒体分離装置を備えたことを特徴とする前項１に記載の有機性廃棄物の分解処理装置。


【手続補正３】
【補正対象書類名】明細書
【補正対象項目名】０００６
【補正方法】変更
【補正の内容】
【０００６】
（３）排出口に設置されたスライド板又は扉の開口度を調節できる扉開閉機構を備えたことを特徴とする前項１又は２に記載の有機性廃棄物の分解処理装置。
（４）分解物・粒状撹拌媒体分離装置の上方又は下方あるいは上方及び下方に、遠赤外ヒーターを設置したことを特徴とする前項２又は３のいずれか１項に記載の有機性廃棄物の分解処理装置。
（５）分解・撹拌槽壁を被包する２重構造のジャケットと、そのジャケット内に設けた複数の水加熱用ヒーターとジャケット中の水温を測定する単数個所又は複数個所に設けられた温度センサーと、温度制御装置とよりなる分解・撹拌槽の温度調節機構を備えてなることを特徴とする前項１ないし４のいずれか１項に記載の有機性廃棄物の分解処理装置。


【手続補正４】
【補正対象書類名】明細書
【補正対象項目名】０００７
【補正方法】変更
【補正の内容】
【０００７】
（６）横置きドラム型分解・撹拌槽の内部に充填される粒状撹拌媒体が、粒径の異なるものの組合せであることを特徴とする前項１〜５のいずれか１項に記載の有機性廃棄物の分解処理装置。
（７）横置きドラム型分解・撹拌槽内の投入口付近では平均粒度が比較的大径の粒状撹拌媒体が存在し、被処理物排出口付近では比較的平均粒度が小径の粒状撹拌媒体が存在してなることを特徴とする前項１ないし６のいずれか１項に記載の有機性廃棄物の分解処理装置。
（８）分解・撹拌槽の内部に回転可能に略水平に配設された回転シャフトと、この回転シャフトに軸方向の複数箇所に仮想螺旋状に突設された撹拌棒と、各撹拌棒に付設された撹拌子とからなる撹拌機構を備えたことを特徴とする前項１ないし７のいずれか１項に記載の有機性廃棄物の分解処理装置。
（９）槽壁又は槽底に設けた吸気又は吹き込み口から循環雰囲気ガス又は空気を分解・撹拌槽に導入する分解・撹拌槽の雰囲気調整機構を設けたことを特徴とする前項１ないし８のいずれか１項に記載の有機性廃棄物の分解処理装置。
（１０）槽壁又は槽底に設けた吸気又は吹き込み口から循環雰囲気ガス又は空気を分解・撹拌槽に導入する分解・撹拌槽の雰囲気調整機構を設け、さらに前記循環雰囲気ガス系又は空気系に水分凝縮装置又は浄化装置を設けたことを特徴とする前項１ないし９のいずれか１項に記載の有機性廃棄物の分解処理装置。
（１１）横置きドラム型分解・撹拌槽の内部に充填される粒状撹拌媒体が、多孔質のセラミック球、特に多孔質壁の中空セラミック球であることを特徴とする前項１ないし９のいずれか１項に記載の有機性廃棄物の分解処理装置。